【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
Ｗｅｂアプリケーションが動作するＷｅｂアプリケーションサーバーと、Ｗｅｂブラウザを用いて、当該Ｗｅｂアプリケーションサーバーにアクセスする１以上のクライアント端末と、当該クライアント端末の操作に伴って動作するプリンターと、を有し、少なくとも前記Ｗｅｂアプリケーションサーバーと前記クライアント端末、前記クライアント端末と前記プリンターがそれぞれネットワーク接続されたネットワークシステムであって、
前記クライアント端末は、
前記Ｗｅｂアプリケーションサーバーから、前記Ｗｅｂブラウザ上で動作してＷｅｂページに関する印刷制御を行なう印刷制御用スクリプトが組み込まれたＷｅｂページを取得するＷｅｂページ取得部と、
取得した前記Ｗｅｂページを表示する表示部と、
表示した前記Ｗｅｂページで印刷操作が行われることにより、前記印刷制御用スクリプトにより描画領域に描画された画像データを前記プリンターで処理可能な形式に変換した印刷データを生成する印刷データ生成部と、
前記印刷制御用スクリプトにより、生成した前記印刷データを前記プリンターに送信する印刷データ送信部と、を備え、
前記プリンターは、
前記印刷データ送信部により送信された前記印刷データを受信する印刷データ受信部と、
受信した前記印刷データに基づいて印刷処理を制御する印刷制御部と、を備えたことを特徴とするネットワークシステム。
【請求項２】
前記印刷データ生成部は、
生成した前記印刷データを、所定の記憶領域に一時的に保存し、
前記印刷データ送信部は、
前記所定の記憶領域に前記印刷データの全てが保存された後、前記記憶領域の印刷データを前記プリンターに送信することを特徴とする請求項１に記載のネットワークシステム。
【請求項３】
前記プリンターに対する前記印刷データの送信中に、前記Ｗｅｂページを切り替える切替イベントが発生した場合、
前記表示部は、
前記印刷制御用スクリプトにより、前記Ｗｅｂページの切り替えを実行するか否かを選択する切替確認画面を表示することを特徴とする請求項１または２に記載のネットワークシステム。
【請求項４】
前記印刷データ送信部は、
前記プリンターに対する前記印刷データの送信中に、前記Ｗｅｂページの切り替えが実行された場合、当該印刷データの送信を中断し、
前記表示部は、
前記印刷データの送信が中断された旨を示すメッセージを表示することを特徴とする請求項１ないし３のいずれか１項に記載のネットワークシステム。
【請求項５】
前記印刷データ送信部は、
前記印刷データの送信処理を、前記切替確認画面の表示処理と並列に実行することを特徴とする請求項３に記載のネットワークシステム。
【請求項６】
前記プリンターの印刷制御部は、
前記印刷データ受信部により前記印刷データの全てを受信した後に、当該印刷データに基づく印刷処理を実行することを特徴とする請求項１ないし５のいずれか１項に記載のネットワークシステム。
【請求項７】
前記印刷データ生成部は、
前記画像データを１回のデータ通信で送信可能なデータサイズに分割し、分割した前記画像データ毎に前記プリンターで印刷可能な形式に変換した分割印刷データを生成し、
前記印刷データ送信部は、
前記印刷データの送信を、前記分割印刷データ単位で実行することを特徴とする請求項１ないし５のいずれか１項に記載のネットワークシステム。
【請求項８】
前記プリンターは、
当該プリンターの印刷設定を行なうための印刷設定サービスを提供する印刷設定サービス提供部をさらに備え、
前記クライアント端末は、
前記印刷制御用スクリプトにより、前記印刷設定サービス提供部による前記印刷設定サービスを使用して前記プリンターの印刷設定を行うことを特徴とする請求項１ないし７のいずれか１項に記載のネットワークシステム。
【請求項９】
前記プリンターは、プリンター本体と、前記プリンター本体に装着する装着ボードと、で構成され、
前記プリンター本体は、前記装着ボードを介して前記クライアント端末と接続され、
前記装着ボードは、
前記印刷データ受信部、前記印刷制御部および前記印刷設定サービス提供部を備えたことを特徴とする請求項８に記載のネットワークシステム。
【請求項１０】
Ｗｅｂアプリケーションが動作するＷｅｂアプリケーションサーバーと、Ｗｅｂブラウザを用いて、当該Ｗｅｂアプリケーションサーバーにアクセスする１以上のクライアント端末と、当該クライアント端末の操作に伴って動作するプリンターと、を有し、少なくとも前記Ｗｅｂアプリケーションサーバーと前記クライアント端末、前記クライアント端末と前記プリンターがそれぞれネットワーク接続されたネットワークシステムの印刷制御方法であって、
前記クライアント端末は、
前記Ｗｅｂアプリケーションサーバーから、前記Ｗｅｂブラウザ上で動作してＷｅｂページに関する印刷制御を行なう印刷制御用スクリプトが組み込まれたＷｅｂページを取得するＷｅｂページ取得ステップと、
取得した前記Ｗｅｂページを表示する表示ステップと、
表示した前記Ｗｅｂページで印刷操作が行われることにより、前記印刷制御用スクリプトにより描画領域に描画された画像データを前記プリンターで処理可能な形式に変換した印刷データを生成する印刷データ生成ステップと、
前記印刷制御用スクリプトにより、生成した前記印刷データを前記プリンターに送信する印刷データ送信ステップと、を実行し、
前記プリンターは、
前記印刷データ送信ステップにより送信された前記印刷データを受信する印刷データ受信ステップと、
受信した前記印刷データに基づいて印刷処理を制御する印刷制御ステップと、を実行することを特徴とするネットワークシステムの印刷制御方法。
【請求項１１】
前記印刷データ生成ステップは、
生成した前記印刷データを、所定の記憶領域に一時的に保存し、
前記印刷データ送信ステップは、
前記所定の記憶領域に前記印刷データの全てが保存された後、前記記憶領域の印刷データを前記プリンターに送信することを特徴とする請求項１０に記載のネットワークシステムの印刷制御方法。
【請求項１２】
前記プリンターに対する前記印刷データの送信中に、前記Ｗｅｂページを切り替える切替イベントが発生した場合、
前記表示ステップは、
前記印刷制御用スクリプトにより、前記Ｗｅｂページの切り替えを実行するか否かを選択する切替確認画面を表示することを特徴とする請求項１０または１１に記載のネットワークシステムの印刷制御方法。
【請求項１３】
前記印刷データ送信ステップは、
前記プリンターに対する前記印刷データの送信中に、前記Ｗｅｂページの切り替えが実行された場合、当該印刷データの送信を中断し、
前記表示ステップは、
前記印刷データの送信が中断された旨を示すメッセージを表示することを特徴とする請求項１０ないし１２のいずれか１項に記載のネットワークシステムの印刷制御方法。
【請求項１４】
前記印刷データ送信ステップは、
前記印刷データの送信処理を、前記切替確認画面の表示処理と並列に実行することを特徴とする請求項１２に記載のネットワークシステムの印刷制御方法。
【請求項１５】
前記印刷データ生成ステップは、
前記画像データを１回のデータ通信で送信可能なデータサイズに分割し、分割した前記画像データ毎に前記プリンターで印刷可能な形式に変換した分割印刷データを生成し、
前記印刷データ送信ステップは、
前記印刷データの送信を、前記分割印刷データ単位で実行することを特徴とする請求項１０ないし１４のいずれか１項に記載のネットワークシステムの印刷制御方法。
【請求項１６】
Ｗｅｂブラウザを用いて、Ｗｅｂアプリケーションが動作するＷｅｂアプリケーションサーバーにアクセスするクライアント端末であって、
前記Ｗｅｂアプリケーションサーバーから、前記Ｗｅｂブラウザ上で動作してＷｅｂページに関する印刷制御を行なう印刷制御用スクリプトが組み込まれたＷｅｂページを取得するＷｅｂページ取得部と、
取得した前記Ｗｅｂページを表示する表示部と、
表示した前記Ｗｅｂページで印刷操作が行われることにより、前記印刷制御用スクリプトにより描画領域に描画された画像データをプリンターで処理可能な形式に変換した印刷データを生成する印刷データ生成部と、
前記印刷制御用スクリプトにより、生成した前記印刷データを前記プリンターに送信する印刷データ送信部と、を備えたことを特徴とするクライアント端末。
【請求項１７】
前記印刷データ生成部は、
生成した前記印刷データを、所定の記憶領域に一時的に保存し、
前記印刷データ送信部は、
前記所定の記憶領域に前記印刷データの全てが保存された後、前記記憶領域の印刷データを前記プリンターに送信することを特徴とする請求項１６に記載のクライアント端末。
【請求項１８】
前記プリンターに対する前記印刷データの送信中に、前記Ｗｅｂページを切り替える切替イベントが発生した場合、
前記表示部は、
前記印刷制御用スクリプトにより、前記Ｗｅｂページの切り替えを実行するか否かを選択する切替確認画面を表示することを特徴とする請求項１６または１７に記載のクライアント端末。
【請求項１９】
前記印刷データ送信部は、
前記プリンターに対する前記印刷データの送信中に、前記Ｗｅｂページの切り替えが実行された場合、当該印刷データの送信を中断し、
前記表示部は、
前記印刷データの送信が中断された旨を示すメッセージを表示することを特徴とする請求項１６ないし１８のいずれか１項に記載のクライアント端末。
【請求項２０】
前記印刷データ送信部は、
前記印刷データの送信処理を、前記切替確認画面の表示処理と並列に実行することを特徴とする請求項１８に記載のクライアント端末。
【請求項２１】
前記印刷データ生成部は、
前記画像データを１回のデータ通信で送信可能なデータサイズに分割し、分割した前記画像データ毎に前記プリンターで印刷可能な形式に変換した分割印刷データを生成し、
前記印刷データ送信部は、
前記印刷データの送信を、前記分割印刷データ単位で実行することを特徴とする請求項１６ないし２０のいずれか１項に記載のクライアント端末。
【手続補正２】
【補正対象書類名】明細書
【補正対象項目名】発明の名称
【補正方法】変更
【補正の内容】
【発明の名称】ネットワークシステム、ネットワークシステムの印刷制御方法およびクライアント端末
【手続補正３】
【補正対象書類名】明細書
【補正対象項目名】０００１
【補正方法】変更
【補正の内容】
【０００１】
本発明は、ネットワークを介してプリンターの制御を行なうネットワークシステム、ネットワークシステムの印刷制御方法およびクライアント端末に関するものである。
【手続補正４】
【補正対象書類名】明細書
【補正対象項目名】０００５
【補正方法】変更
【補正の内容】
【０００５】
本発明は、上記の問題に鑑み、コンピューターの環境に依存するプリンタードライバーを必要とせずに、プリンターを制御することが可能なネットワークシステム、ネットワークシステムの印刷制御方法およびクライアント端末を提供することを目的とする。
【手続補正５】
【補正対象書類名】明細書
【補正対象項目名】０００６
【補正方法】変更
【補正の内容】
【０００６】
本発明のネットワークシステムは、Ｗｅｂアプリケーションが動作するＷｅｂアプリケーションサーバーと、Ｗｅｂブラウザを用いて、当該Ｗｅｂアプリケーションサーバーにアクセスする１以上のクライアント端末と、当該クライアント端末の操作に伴って動作するプリンターと、を有し、少なくともＷｅｂアプリケーションサーバーとクライアント端末、クライアント端末とプリンターがそれぞれネットワーク接続されたネットワークシステムであって、クライアント端末は、Ｗｅｂアプリケーションサーバーから、Ｗｅｂブラウザ上で動作してＷｅｂページに関する印刷制御を行なう印刷制御用スクリプトが組み込まれたＷｅｂページを取得するＷｅｂページ取得部と、取得したＷｅｂページを表示する表示部と、表示したＷｅｂページで印刷操作が行われることにより、印刷制御用スクリプトにより描画領域に描画された画像データをプリンターで処理可能な形式に変換した印刷データを生成する印刷データ生成部と、印刷制御用スクリプトにより、生成した印刷データをプリンターに送信する印刷データ送信部と、を備え、プリンターは、印刷データ送信部により送信された印刷データを受信する印刷データ受信部と、受信した印刷データに基づいて印刷処理を制御する印刷制御部と、を備えたことを特徴とする。
【手続補正６】
【補正対象書類名】明細書
【補正対象項目名】０００７
【補正方法】変更
【補正の内容】
【０００７】
また、本発明のネットワークシステムの印刷制御方法は、Ｗｅｂアプリケーションが動作するＷｅｂアプリケーションサーバーと、Ｗｅｂブラウザを用いて、当該Ｗｅｂアプリケーションサーバーにアクセスする１以上のクライアント端末と、当該クライアント端末の操作に伴って動作するプリンターと、を有し、少なくともＷｅｂアプリケーションサーバーとクライアント端末、クライアント端末とプリンターがそれぞれネットワーク接続されたネットワークシステムの印刷制御方法であって、クライアント端末は、Ｗｅｂアプリケーションサーバーから、Ｗｅｂブラウザ上で動作してＷｅｂページに関する印刷制御を行なう印刷制御用スクリプトが組み込まれたＷｅｂページを取得するＷｅｂページ取得ステップと、取得した前記Ｗｅｂページを表示する表示ステップと、表示したＷｅｂページで印刷操作が行われることにより、印刷制御用スクリプトにより描画領域に描画された画像データをプリンターで処理可能な形式に変換した印刷データを生成する印刷データ生成ステップと、印刷制御用スクリプトにより、生成した印刷データをプリンターに送信する印刷データ送信ステップと、を実行し、プリンターは、印刷データ送信ステップにより送信された印刷データを受信する印刷データ受信ステップと、受信した印刷データに基づいて印刷処理を制御する印刷制御ステップと、を実行することを特徴とする。
【手続補正７】
【補正対象書類名】明細書
【補正対象項目名】０００９
【補正方法】変更
【補正の内容】
【０００９】
本発明のネットワークシステムにおいて、印刷データ生成部は、生成した印刷データを、所定の記憶領域に一時的に保存し、印刷データ送信部は、所定の記憶領域に印刷データの全てが保存された後、記憶領域の印刷データをプリンターに送信することが好ましい。
【手続補正８】
【補正対象書類名】明細書
【補正対象項目名】００２６
【補正方法】変更
【補正の内容】
【００２６】
以下、添付の図面を参照して、本実施形態に係るネットワークシステム、ネットワークシステムの印刷制御方法およびクライアント端末について、添付の図面を参照しながら詳細説明する。本実施形態のネットワークシステムは、クライアント端末に専用のプリンタードライバーをインストールすることなく、Ｗｅｂブラウザを用いて印刷処理を行なうことができるシステムである。